(57)【要約】【課題】電話帳メモリに相手側情報を入力する手間を省いた通信装置を提供する。【解決手段】着呼時に回線からモデム信号を受信すると（Ｓ２ステップ）、受信したモデム信号に含まれている電話番号情報と氏名情報とを抽出し、抽出した電話番号情報と氏名情報とを第２格納部の領域Ａに格納する（Ｓ３ステップ）。格納した電話番号情報の着呼回数が１０以上であると、前記Ｓ３ステップで抽出した電話番号情報と氏名情報とを第２格納部の領域Ｂ（電話帳メモリ）に格納する（Ｓ６ステップ）。【選択図】  図３
2004364129.tif 000002
【特許請求の範囲】
【請求項１】
着呼があると回線から発呼側の電話番号情報を受信する受信手段と、発呼側の電話番号と氏名とを対で複数格納可能な電話帳メモリと、発呼側の電話番号情報と着信回数とを対応付けて複数格納可能な回数メモリと、
着信がある度に、前記受信手段が受信した電話番号情報に対応付けて着信回数を計数し、前記受信した電話番号情報と前記計数した着信回数とを前記回数メモリに格納し、前記回数メモリに所定の回数以上を計数した電話番号情報があると判定すると、前記所定の回数以上を計数した電話番号情報を前記電話帳メモリに格納するように制御する制御手段と、を有することを特徴とする通信装置。
【請求項２】
請求項１記載の通信装置であり、前記制御手段は、前記所定の回数以上を計数した電話番号情報を前記電話帳メモリに格納する際に、前記電話番号情報が既に前記電話帳メモリに格納されていると判定すると、前記電話番号情報を前記電話帳メモリに格納しないことを特徴とする通信装置。
【請求項３】
着呼があると回線から発呼側の電話番号情報と氏名情報を受信する受信手段と、発呼側の電話番号と氏名とを対で複数格納可能な電話帳メモリと、発呼側の電話番号情報又は氏名情報と着信回数とを対応付けて複数格納可能な回数メモリと、
着信がある度に、前記受信手段が受信した電話番号情報又は氏名情報に対応付けて着信回数を計数し、前記受信した電話番号情報又は氏名情報と前記計数した着信回数とを前記回数メモリに格納し、前記回数メモリに所定の回数以上を計数した電話番号情報又は氏名情報があると判定すると、前記所定の回数以上を計数した電話番号情報に対応する氏名情報、又は、前記所定の回数以上を計数した氏名情報を前記電話帳メモリに格納するように制御する制御手段と、を有することを特徴とする通信装置。
【請求項４】
請求項３記載の通信装置であり、前記制御手段は、前記所定の回数以上を計数した電話番号情報に対応する氏名情報又は前記所定の回数以上を計数した氏名情報を前記電話帳メモリに格納する際に、前記氏名情報が既に前記電話帳メモリに格納されていると判定すると、前記氏名情報を前記電話帳メモリに格納しないことを特徴とする通信装置。
【発明の詳細な説明】
【０００１】
【発明の属する技術分野】
本発明は、留守番電話装置等の通信装置に関する。
【０００２】
【従来の技術】
従来、日本電信電話株式会社が提供しているサービスにナンバーディスプレイサービスがある。このサービスは、或る端末から或る端末へ発呼を行う際に、交換機から着呼側の端末へ発呼側の電話番号情報を送信するサービスである。又、このサービスに対応した通信装置（例えば、留守番電話、コードレス電話、ファクシミリ等）は、着呼時に回線から受信した電話番号を表示部に表示させ、ユーザにだれからの着呼であるかを報知することが可能である。
【０００３】
又、近年では、日本電信電話株式会社は、或る端末から或る端末へ発呼を行う際に、交換機から着呼側の端末へ発呼側の電話番号だけでなく発呼側の氏名等の情報を送信するネームディスプレイサービスを提供している。
【０００４】
このようなサービスに対応した通信装置は、着呼時に回線から受信した電話番号と発呼側の氏名を表示部に表示する為、着呼側のユーザは発呼側が誰であるかをより明確に分かることができる。
【０００５】
前記ネームディスプレイサービスの接続動作シーケンスの概要を、図４を用いて以下に説明する。
【０００６】
先ず、交換機は回線の極性を反転させた後に、周波数が１６Ｈｚの信号である情報受信端末起動信号を端末へ送信する（ステップ１００）。
【０００７】
続いて、端末側は前記情報受信端末起動信号の受信に応答して、直流ループを形成することにより応答信号（一次応答信号）を交換機へ送信する（ステップ１１０）。
【０００８】
次に、交換機はＦＳＫ（Ｆｒｅｑｕｅｎｃｙ  Ｓｈｉｆｔ  Ｋｅｙｉｎｇ）変調方式により変調されたモデム信号を端末へ送信する（ステップ１２０）。
【０００９】
尚、前記モデム信号に発呼側の電話番号情報や氏名情報が含まれている。
【００１０】
続いて、端末は、交換機からのモデム信号の受信を完了すると、直流ループを開放することにより応答信号（受信完了信号）を交換機へ送信する（ステップ１３０）。
【００１１】
その後は通常の着呼時と同様の接続動作シーケンスとなる。
【００１２】
このように、通信事業者はユーザに様々なサービスを提供している。一方、通信装置に関しても様々な技術が提案されており、発呼の度にアクセスカウンタを計数アップし、発呼時にはアクセスカウンタの計数値の多いもの、即ち発呼回数の多いものから順に、選択ボタンに対応付けて登録すると共に表示する技術が提案されている（特許文献１参照）。
【００１３】
【特許文献１】
特開平７−３０６３３号公報（第３頁及び図３）。
【００１４】
【発明が解決しようとする課題】
このように、発呼回数の多い電話番号から順に表示する技術が提案されているが、いくら頻繁に発呼を行っている相手側の電話番号といえ、発呼時にいざ電話番号のみ表示されてもユーザはだれの電話番号であるかを容易に認識することができないこともある。又、このような問題を解決する為に、予め発呼した電話番号と共に相手側の氏名をユーザのキー入力により登録することも考えられるが、一々相手側の氏名を登録していては非常に面倒である。
【００１５】
又、特許文献１記載の技術から、着呼時において次のような構成とすることが考えられる。例えば、着呼時に回線から受信した電話番号を表示する際に、着呼回数の多いものから順に表示する構成が考えられる。
【００１６】
しかし、着呼回数の多いものから順に表示する構成としたとしても、ユーザが手入力で発呼側の氏名を入力しなければならず、入力操作が非常に面倒である。
【００１７】
【課題を解決するための手段】
本発明はこのような問題を解決する為のものであり、請求項１記載の通信装置は、着呼があると回線から発呼側の電話番号情報を受信する受信手段と、発呼側の電話番号と氏名とを対で複数格納可能な電話帳メモリと、発呼側の電話番号情報と着信回数とを対応付けて複数格納可能な回数メモリと、着信がある度に、前記受信手段が受信した電話番号情報に対応付けて着信回数を計数し、前記受信した電話番号情報と前記計数した着信回数とを前記回数メモリに格納し、前記回数メモリに所定の回数以上を計数した電話番号情報があると判定すると、前記所定の回数以上を計数した電話番号情報を前記電話帳メモリに格納するように制御する制御手段と、を有することを特徴とする。
【００１８】
請求項２記載の通信装置は、請求項１記載の通信装置であり、前記制御手段は、前記所定の回数以上を計数した電話番号情報を前記電話帳メモリに格納する際に、前記電話番号情報が既に前記電話帳メモリに格納されていると判定すると、前記電話番号情報を前記電話帳メモリに格納しないことを特徴とする。
【００１９】
請求項３記載の通信装置は、着呼があると回線から発呼側の電話番号情報と氏名情報を受信する受信手段と、発呼側の電話番号と氏名とを対で複数格納可能な電話帳メモリと、発呼側の電話番号情報又は氏名情報と着信回数とを対応付けて複数格納可能な回数メモリと、着信がある度に、前記受信手段が受信した電話番号情報又は氏名情報に対応付けて着信回数を計数し、前記受信した電話番号情報又は氏名情報と前記計数した着信回数とを前記回数メモリに格納し、前記回数メモリに所定の回数以上を計数した電話番号情報又は氏名情報があると判定すると、前記所定の回数以上を計数した電話番号情報に対応する氏名情報、又は、前記所定の回数以上を計数した氏名情報を前記電話帳メモリに格納するように制御する制御手段と、を有することを特徴とする。
【００２０】
請求項４記載の通信装置は、請求項３記載の通信装置であり、前記制御手段は、前記所定の回数以上を計数した電話番号情報に対応する氏名情報又は前記所定の回数以上を計数した氏名情報を前記電話帳メモリに格納する際に、前記氏名情報が既に前記電話帳メモリに格納されていると判定すると、前記氏名情報を前記電話帳メモリに格納しないことを特徴とする。
【００２１】
【発明の実施の形態】
本実施例装置は、着呼時に回線から受信した発呼側の電話番号情報や氏名情報の受信回数を計数し、計数値が所定以上となると、受信した発呼側の電話番号情報や氏名情報を電話帳メモリに自動的に格納するものである。
【００２２】
このような構成とすることにより、頻繁にかかってくる相手側の電話番号データや氏名データを一々電話帳メモリに手入力する必要がなく、ユーザの手間を省くことが可能である。
【００２３】
以下、本発明を適用してなる実施例装置（例えば、留守番電話装置）について説明する。
【００２４】
図１は、本実施例装置のブロック図である
制御部１は、以下で説明する各回路の制御を司る。
【００２５】
入力部２は、テンキー、録音開始キー、停止キー、機能キー、等からなる。
【００２６】
表示部３は、例えば液晶表示装置からなり、電話番号や氏名等を表示可能である。
【００２７】
第１格納部４は、例えばＲＯＭ（Ｒｅａｄ  Ｏｎｌｙ  Ｍｅｍｏｒｙ）からなり、制御部１の制御プログラムが格納されている。
【００２８】
第２格納部５は、例えばＳＲＡＭ（Ｓｔａｔｉｃ  Ｒａｎｄｕｍ  Ａｃｃｅｓｓ  Ｍｅｍｏｒｙ）からなり、図２に示すように２つの領域Ａ、Ｂを有している。詳細に説明すると、図２において、領域Ａには、着呼時に回線から受信した電話番号情報と該電話番号情報に対応する氏名情報と着呼回数とを対で複数格納している。一方、領域Ｂには、氏名と電話番号とが対でアイウエオ順に格納されており、しかも領域Ｂに格納されている電話番号と氏名を表示部３に表示する際には、アイウエオ順に表示される。即ち、領域Ｂは所謂電話帳メモリとして使用される。
【００２９】
尚、領域Ｂに格納されている電話番号や氏名を表示する際には、アイウエオ順に表示するのではなく、領域Ｂに登録した順序や、発信回数の多い順番、着呼回数の多い順番等で表示しても良い。
【００３０】
更に、図示しないが、第２格納部５には回線から送られてくる用件メッセージを格納可能である。
【００３１】
フック検出部６は、後述するハンドセット１１のフック状態を検出する。
【００３２】
ダイオードブリッジ７は、回線Ｌと接続され、回線Ｌの極性が急激に変化した際に通信装置内部の回路を保護する為の回路である。
【００３３】
極性反転検出回路８は、回線Ｌの極性反転を検出する。
【００３４】
網制御部９は、主に回線Ｌの閉結及び開放を行う。
【００３５】
スピーチネットワーク１０は、前記網制御部９と、ハンドセット１１と、マイク１２及びスピーカ１３間での通話路の切換を行うと共に、内部に配置されているアンプやアッテネータ等により信号を制御する。
【００３６】
ＤＳＰ（Ｄｉｇｉｔａｌ  Ｓｉｇｎａｌ  Ｐｒｏｃｅｓｓｏｒ）１４は、図４にて説明した、着呼時に回線から到来するモデム信号を受信し、前記モデム信号に含まれている電話番号情報や氏名情報を摘出する。
【００３７】
ハンドセット１１は通話する際に使用される。
【００３８】
次に、本実施例装置の動作を、図３のフロー図を用いて以下に説明する。
【００３９】
Ｓ１ステップにおいて、制御部１は、網制御部９が周波数１６Ｈｚの情報受信
端末起動信号を受信したと判定すると、網制御部９を制御することにより回線Ｌ
を閉結させ（１次応答信号を送信させ）、Ｓ２ステップへ処理を進める。
【００４０】
Ｓ２ステップにおいて、制御部１は、ＤＳＰ１４が回線Ｌからモデム信号を受
信したと判定するとＳ３ステップへ処理を進め、そうでなければ通常の着呼動作（図４におけるＳ１３０ステップ以降のステップ）を行い処理を終了する。
【００４１】
Ｓ３ステップにおいて、制御部１は、ＤＳＰ１４を制御することにより、モデム信号から電話番号情報と氏名情報を摘出させ、摘出された電話番号情報と氏名情報を第２格納部５の領域Ａに格納し、Ｓ４ステップへ処理を進める。
【００４２】
尚、前記Ｓ３ステップで、摘出された電話番号情報と一致する電話番号が既に領域Ａに格納されている場合には、電話番号と氏名を新たに領域Ａに格納せず、既に格納されている電話番号に対応する着呼回数を１計数アップする。一方、摘出された電話番号情報と一致する電話番号が領域Ａに格納されていない場合には、電話番号と氏名を新たに領域Ａに格納すると共に着呼回数を１とする。
【００４３】
Ｓ４ステップにおいて、制御部１は、前記Ｓ３ステップで格納した電話番号情報の着呼回数が所定の値（例えば、１０）であると判定するとＳ５ステップへ処理を進め、そうでなければ通常の着呼動作（図４におけるＳ１３０ステップ以降のステップ）に移り処理を終了する。
【００４４】
尚、前記Ｓ４ステップにおける所定の値は、特に１０回と限定するものではなく、他の値でも良い。又、所定の値をユーザが設定可能としても良い。
【００４５】
Ｓ５ステップでは、制御部１は、前記Ｓ２ステップで摘出した電話番号情報と氏名情報が既に領域Ｂに格納されていると判定すると、通常の着呼動作（図４におけるＳ１３０ステップ以降のステップであり、呼出音の鳴動等の動作を行う）に移り処理を終了し、一方、そうでなければＳ６ステップへ処理を進める。
【００４６】
Ｓ６ステップでは、制御部１は、前記Ｓ２ステップで摘出した電話番号情報と氏名情報とを領域Ｂに格納し、通常の着呼動作（図４におけるＳ１３０ステップ以降のステップであり、呼出音の鳴動等の動作を行う。）に移り処理を終了する。
【００４７】
尚、領域Ｂに電話番号情報と氏名情報を格納する際には、例えば、図２に示す領域Ａに格納された着呼回数が１０の相手側（電話番号：０６６１２３４５６７、氏名：山田花子）の情報が、領域Ｂのヤ行の領域に格納される。
【００４８】
このように、本実施例装置では、着呼時に受信した相手側の電話番号情報や氏
名情報を電話帳メモリに自動的に格納する為、頻繁に着呼がある相手側の電話番
号や氏名をユーザが一々キー操作により入力せずとも、電話帳メモリに格納する
ことが可能である。
【００４９】
又、特定回数以上の相手側のみ電話帳メモリに格納する為、着呼回数の少ない
相手側（例えば、間違い電話等）は電話帳メモリに格納されず、ユーザにとって
真に必要な相手側の情報のみ電話帳メモリに格納することが可能である。
【００５０】
尚、本実施例では、相手側の電話番号情報と氏名情報を受信した際の動作につ
いて説明したが、相手側の電話番号情報のみ受信した場合には、第２格納部５の
領域Ａに電話番号と着呼回数を格納し、更に、着呼回数が所定回数以上の場合に
は、領域Ｂに電話番号のみ格納しても良い。
【００５１】
一方、着呼時に相手側の氏名情報を受信しない場合（電話番号情報のみ受信す
る場合）には、受信した電話番号を電話帳メモリに格納しない構成としても良い。このような構成とするのは、例えば、電話番号のみ電話帳メモリに格納しても、
ユーザが後で電話番号だけを見てもだれからの着呼かわからない場合があるから
であり、又、限られた電話帳メモリの容量をできるだけ効率的に使用するという
観点からもこのような構成は有効である。
【００５２】
又、本実施例装置では、留守番電話装置について実施したが、コードレス電話装置、ファクシミリ装置等、着呼時に発呼側の電話番号情報と氏名情報とを受信可能な通信装置であれば、同様に実施することが可能である。
【００５３】
【発明の効果】
本発明では、電話帳メモリに相手側情報を入力する手間をできるだけ省くことが可能である。
【図面の簡単な説明】
【図１】本実施例装置のブロック図である。
【図２】第２格納部５の格納形態を示す図である。
【図３】本実施例装置の動作を示すフロー図である。
【図４】接続動作シーケンスを示す図である。
【符号の説明】
１  制御部
５  第２格納部
９  網制御部
１４  ＤＳＰ
【図１】
2004364129.tif 000003
【図２】
2004364129.tif 000004
【図３】
2004364129.tif 000005
【図４】
2004364129.tif 000006